(57)【要約】【課題】シフトフォークの摺動部にその磨耗が防止されるよう十分な油量を供給できる潤滑構造を備えたトランスミッションのシフト装置を提供すること。【解決手段】トランスミッションの軸３と一体回転すると共に軸線方向に沿ってシフト自在であり、軸３上に遊嵌された変速ギヤ４と回転方向に直接又は間接的に係合自在なスリーブ２と、円弧状に延在する腕部１ａ及び腕部１ａの先端に形成されスリーブ２と摺動ないし係合する一対の爪部１ｂを備えスリーブ２を前記軸線方向に沿ってシフトさせるシフトフォーク１と、を有し、シフトフォーク１の爪部１ｂで開口するオイル穴５と、シフトフォーク１の腕部１ａないし爪部１ｂの外周側に設けられたオイルポケット６と、シフトフォーク１の内部に形成されオイル穴５とオイルポケット６を連通する油路７と、を有する。【選択図】図３
2010151184.tif 000002
【特許請求の範囲】
【請求項１】
トランスミッションの軸と一体回転すると共に軸線方向に沿ってシフト自在であり、該軸上に遊嵌された変速ギヤと回転方向に直接又は間接的に係合自在なスリーブと、円弧状に延在する腕部及び前記腕部の先端に形成され前記スリーブと摺動ないし係合する爪部を備え該スリーブを前記軸線方向に沿ってシフトさせるシフトフォークと、を有する、シフト装置であって、
前記シフトフォークの前記爪部で開口するオイル穴と、
前記シフトフォークの前記腕部ないし前記爪部の外周側に設けられたオイルポケットと、
前記シフトフォークの内部に形成され前記オイル穴と前記オイルポケットを連通する油路と、
を有する、ことを特徴とするトランスミッションのシフト装置。
【請求項２】
前記スリーブは、外周側に前記爪部が摺動ないし係合する溝を備え、
前記オイル穴は、前記溝の内側面と対向する、前記爪部の側面に形成される、ことを特徴とする請求項１記載のシフト装置。
【請求項３】
前記オイルポケットは、上方から滴下されるオイルを捕集するよう上方に向って開口することを特徴とする請求項１又は２記載のシフト装置。
【請求項４】
前記オイルポケットには、該オイルポケット上を延在し、前記変速ギヤによって掻き揚げられたオイルを捕集するオイルレシーバからオイルが滴下される、ことを特徴とする請求項３記載のシフト装置。
【発明の詳細な説明】
【技術分野】
【０００１】
本発明は、トランスミッションのシフト装置に関し、特に、車両等に搭載される選択歯車式トランスミッションにおいて変速ギヤの切り換えを行うシフト装置に関し、中でもシフト装置のシフトフォークに関する。
【背景技術】
【０００２】
特許文献１には、車両のマニュアルトランスミッションにおいて、回転自在なクラッチハブスリーブの外周溝に、円弧状のシフトフォークの端部にそれぞれ形成された一対の爪部が摺動自在に係合するシフト装置が開示されている。このトランスミッションによれば、操作者がシフトレバーをシフト操作すると、シフトフォークがシフト方向に移動することにより、クラッチハブスリーブが軸線方向ないしシフト方向に移動し、シンクロ機構を動作させながら変速が実行される。
【特許文献１】特開２００８−１２１７２９号公報
【発明の開示】
【発明が解決しようとする課題】
【０００３】
従来、シフトフォークの爪部を潤滑するため、オイルレシーバなどを用いて、シフトフォーク上部からオイルの滴下を行っているが、スリーブとの摺動部である爪部に回り込む油量は多くはない。
【０００４】
本発明の目的は、シフトフォークの摺動部にその磨耗が防止されるよう十分な油量を供給できる潤滑構造を備えたトランスミッションのシフト装置を提供することである。
【課題を解決するための手段】
【０００５】
トランスミッションにおいて、変速ギヤの切り替えを行うシフトフォークは、変速ないしシフト操作が行われる際に、高速で回転しているスリーブと摺動する。これによって、スリーブと係合しているシフトフォークの爪部は高荷重を短時間で受ける。また、変速ないしシフト完了後の走行時、シフトフォークの爪部は、スリーブとギヤが噛み合っていることによって、スリーブから低荷重を常時受ける。
【０００６】
シフトフォークの爪部が受ける荷重（面圧）Ｐと摺動速度Ｖが大きくなることにより、シフトフォークの爪部に磨耗が発生して、シフト操作に悪影響を及ぼすおそれがある。この磨耗の度合いは、シフトフォークの爪部に対するオイルの供給状況によって左右される。例えば、爪部が磨耗するようなＰＶ条件下であっても、爪部が油没するまで油量を上げると磨耗は解消される。
【０００７】
従来、シフトフォークとスリーブの摺動部（爪部と外周溝）は、シフトフォーク上部から自然に滴下するオイルによって潤滑されている。しかし、自然潤滑によるため、爪部に供給される油量に多くは望めない。本発明によれば、シフトフォークのスリーブとの摺動部、すなわち、爪部にオイルを直接供給する潤滑構造を提供することにより、爪部にその磨耗を防止するのに十分な油量を供給することができる。
【０００８】
本発明は、第１の視点において、トランスミッションの軸と一体回転すると共に軸線方向に沿ってシフト自在であり、該軸上に遊嵌された変速ギヤと回転方向に直接又は間接的に係合自在なスリーブと、円弧状に延在する腕部及び前記腕部の先端に形成され前記スリーブと摺動ないし係合する爪部を備え該スリーブを前記軸線方向に沿ってシフトさせるシフトフォークと、を有する、シフト装置であって、前記シフトフォークの前記爪部で開口するオイル穴と、前記シフトフォークの前記腕部ないし前記爪部の外周側に設けられたオイルポケットと、前記シフトフォークの内部に形成され前記オイル穴と前記オイルポケットを連通する油路と、を有する、トランスミッションのシフト装置を提供する。
【発明の効果】
【０００９】
本発明によれば、シフトフォーク外周側に配置されたオイルポケットにオイルが溜められ、溜められたオイルはシフトフォーク内部に形成された油路を通じて、シフトフォークのスリーブとの摺動部ないし爪部に、漏れたり外部に飛散したりすることなく、直接供給される。これにより、シフトフォークとスリーブの摺動部に常時、安定した油量で潤滑用のオイルが供給される。この結果、過酷な条件下においても、爪部の磨耗を高度に防止することができる。
【発明を実施するための最良の形態】
【００１０】
本発明の好ましい実施の形態によれば、前記スリーブは、外周側に前記爪部が摺動ないし係合する溝を備え、前記オイル穴は、前記溝の内側面と対向する、前記爪部の側面に形成される。この形態によれば、シフトフォークのスリーブとの摺動部に、直接的かつ確実にオイルが供給される。
【００１１】
本発明の好ましい実施の形態によれば、前記オイルポケットは、上方から滴下されるオイルを捕集するよう上方に向って開口する。この形態によれば、オイルポケットに効率的又は容易にオイルを供給することができる。
【００１２】
本発明の好ましい実施の形態によれば、前記オイルポケットには、該オイルポケット上を延在し、前記変速ギヤによって掻き揚げられたオイルを捕集するオイルレシーバからオイルが供給される。この形態によれば、既存設備のオイルレシーバを利用して、オイルポケット、さらには、シフトフォークの爪部に十分な油量を確実ないしコンスタントに供給することができる。
【００１３】
本発明のシフト装置は、操作者がシフト及びセレクト操作するシフトレバーの動作に応じて或いは操作者のシフト及びセレクト意思を反映してシフト及びセレクト操作されるシフトアンドセレクトシャフトと、シフトフォークが取り付けられシフトアンドセレクトシャフトのセレクト動作に応じて選択され同シフト動作に応じて所定方向にシフトするシフトフォークシャフトと、シフトフォークのシフト動作に応じて所定方向にシフトし、トランスミッションの軸上においてスリーブと変速ギヤの間等に配置され、摩擦力により軸と変速ギヤ又は軸同士を同期回転させるシンクロ機構と、を有する、トランスミッションに好適に適用される。
【実施例】
【００１４】
以下、図面を参照して、本発明の一実施例を詳細に説明する。
【００１５】
図１（Ａ）〜図１（Ｃ）は、本発明の一実施例に係るトランスミッションのシフト装置の基本構成を説明するための図であり、（Ａ）はシフト完了前の状態、（Ｂ）はシフト完了状態、（Ｃ）はスリーブと変速ギヤの噛み合い、をそれぞれ示している。図２は、本発明の一実施例に係るシフトフォークの外観を示す斜視図である。図３は、図２に示したシフトフォークの側面図である。
【００１６】
図１（Ａ）を参照すると、本発明の一実施例に係るトランスミッションのシフト装置は、トランスミッションの軸３と一体回転すると共に軸線方向に沿ってシフト自在であり、軸３上に遊嵌された変速ギヤ４と回転方向に直接又は間接的に係合自在なスリーブ２と、スリーブ２を前記軸線方向に沿ってシフトさせるシフトフォーク１と、を有している。
【００１７】
スリーブ２の内周側は、軸３に対してスプライン結合され、スリーブ２の外周側には外周溝２ａが形成されている。特に、図２及び図３を参照すると、シフトフォーク１は、円弧状に延在する一対の腕部１ａ及び一対の腕部１ａの先端にそれぞれ形成されスリーブ２の外周溝２ａと摺動ないし係合自在な一対の爪部１ｂを備えている。また、シフトフォーク１は、シフトフォークシャフト８に取り付けられ、シフトフォークシャフト８は、操作者の操作ないし操作意思に応じて、シフト方向ないし軸線方向にシフト自在である。
【００１８】
図１（Ａ）を参照すると、本発明の一実施例に係るトランスミッションのシフト装置において、変速ないしシフト操作が行われる際に、シフトフォーク１は、高速で回転しているスリーブ２と摺動する。詳細には、図中左方へシフト操作が実行される際、シフトフォーク１の爪部１ｂにおいて軸線方向に法線方向を有する一方の側面１ｃが、スリーブ２の外周溝２ａにおいて軸線方向に法線方向を有する一方の内側面２ｂに当接し摺動する。このとき、シフトフォーク１の爪部１ｂは、スリーブ２から短時間に高荷重を受ける。
【００１９】
また、図１（Ｂ）を参照すると、図中左方へのシフト完了後、シフトフォークの爪部１ｂにおいて軸線方向に法線方向を有する他方の側面１ｄは、スリーブ２の外周溝２ａにおいて軸線方向に法線方向を有する他方の内側面２ｃに当接し摺動する。このとき、シフトフォーク１の爪部１ｂは、スリーブ２から常時、低荷重を受ける。その理由は、図１（Ｃ）を参照して、シフト完了時、スリーブ２と変速ギヤ（ないしギヤピース）４の噛み合いによる力、例えば、吸い込み力などが、シフトフォーク１とスリーブ２の間にガタを発生させるからである。
【００２０】
図３は、図２に示したシフトフォークの側面図である。図４は、図３のＡ部分拡大図である。図５は、図４のＢ−Ｂ断面を説明するための拡大図である。
【００２１】
図３〜図５を参照すると、本発明の一実施例に係るシフト装置ないしシフトフォーク１は、シフトフォーク１の爪部１ｂで開口するオイル穴５と、シフトフォーク１の腕部１ａないし爪部１ｂの外周側に設けられたオイルポケット６と、シフトフォーク１の内部に形成されオイル穴５とオイルポケット６を連通する油路７と、を有している。
【００２２】
オイル穴５は、外周溝２ａの一方の内側面２ｂと対向する、爪部１ｂの一方の側面１ｃに形成されている。好ましくは、図５に示すように、オイル穴５を、爪部１ｂの他方の側面１ｄにも形成する。
【００２３】
特に、図２を参照すると、好ましくは、オイルポケット６は、オイルレシーバ９から滴下されるオイルを受容するよう、上方に向って開口している。オイルレシーバ９には、図１（Ａ）に示した変速ギヤ４等によって掻き揚げられたオイルを捕集し、或いは強制潤滑によるオイルを流通させる、既存のオイルレシーバを利用することができる。
【００２４】
以上説明した本発明の一実施例に係るシフト装置の潤滑機能について説明する。
【００２５】
シフトフォーク１に搭載されたオイルポケット６には、変速ギヤ４によって掻き揚げられたオイルが滴下し、又は図２に示したオイルレシーバ９からオイルが滴下により供給されるため、常時、十分な量のオイルが貯留されている。オイルポケット６から、シフトフォーク１内部に形成された油路７を通じて、漏れたり外部に飛散したりすることなく、オイル穴５にオイルが確実に供給される。オイル穴５は、シフトフォーク１とスリーブ２の摺動部、すなわち、爪部１ｂの側面１ｃで開口している。よって、シフトフォーク１とスリーブ２の摺動部に、オイルが直接に供給される。これにより、シフトフォーク１とスリーブ２の摺動部、或いは、外周溝２ａ内には、常時、安定した油量で潤滑のためのオイルが確実に供給される。この結果、シフト完了前においてもシフト完了後においても、或いは過酷な条件下においても、爪部１ｂの磨耗が高度に防止される。
【産業上の利用可能性】
【００２６】
本発明は、車両等に搭載される選択歯車式トランスミッションにおいて、変速ギヤの切り換えを行うシフト装置に適用される。本発明は、特に、マニュアル式のトランスミッションのシフト装置に好適に適用される。また、本発明は、常時噛合平行歯車式ないし選択歯車式のマニュアルトランスミッション、さらには、該トランスミッションを基本型とする種々のトランスミッションに好適に適用される。
【図面の簡単な説明】
【００２７】
【図１】（Ａ）〜（Ｃ）は、本発明の一実施例に係るトランスミッションのシフト装置の基本構成を説明する説明図であり、（Ａ）はシフト完了前の状態、（Ｂ）はシフト完了状態、（Ｃ）はスリーブと変速ギヤの噛み合い、をそれぞれ示す。
【図２】本発明の一実施例に係るシフトフォークの外観を示す斜視図である。
【図３】図２に示したシフトフォークの側面図である。
【図４】図３のＡ部分拡大図である。
【図５】図４のＢ−Ｂ断面を説明するための拡大図である。
【符号の説明】
【００２８】
１  シフトフォーク
１ａ  腕部，一対の腕部
１ｂ  爪部，一対の爪部
１ｃ  一方の側面
１ｄ  他方の側面
２  スリーブ
２ａ  外周溝，溝
２ｂ  一方の内側面
２ｃ  他方の内側面
３  軸
４  変速ギヤ
５  オイル穴
６  オイルポケット
７  油路
８  シフトフォークシャフト
９  オイルレシーバ
【図１】
2010151184.tif 000003
【図２】
2010151184.tif 000004
【図３】
2010151184.tif 000005
【図４】
2010151184.tif 000006
【図５】
2010151184.tif 000007